(57)【特許請求の範囲】
【請求項１】
電動モータと、
該電動モータの駆動力が伝達されることで自身の中心軸線を軸として回動せしめられる円板状のベース部材と、
該ベース部材の回動中心軸線に対して略直交する状態で前記ベース部材に長手方向一端側が重ね合わされ、長手方向他端側が該ベース部材の外周から延出する棒状導光部材と、
該棒状導光部材の長手方向一端側の端面へ入射する光を発する発光源が実装されており、該端面に該発光源の実装面が正対位置せしめられた状態で前記ベース部材に組み付けられる基板と、
該基板よりも前記棒状導光部材の長手方向他端側において、該棒状導光部材を幅方向に跨るようにして配置され、該幅方向の一端側で、前記ベース部材にねじ止め固定されることで該棒状導光部材を該ベース部材に固定する固定部材と、
前記棒状導光部材の長手方向一端側と前記基板とを覆い隠すようにして前記ベース部材にねじ止め固定され、該ベース部材とともに全体として有底有蓋円筒形状をなすカバー部材と
を備え、
前記固定部材は、前記幅方向の他端側で、該固定部材及び前記ベース部材の一方に形成された位置決め突部と他方に形成された位置決め穴との嵌合で位置決めされ、
前記ベース部材と前記カバー部材とを相互に固定する一対のねじ止め固定部は、前記回動中心軸線を中心とした略点対称となる位置で、且つ、該回動中心軸線周りにおいて前記固定部材の位置決め側に位置する一方の該ねじ止め固定部が他方の該ねじ止め固定部よりも該棒状導光部材の長手方向他端側に寄るように配置されており、
前記棒状導光部材の前記端面は、前記一対のねじ止め固定部における該棒状導光部材の長手方向に対する位置ずれと同じ側に、該長手方向に対して傾斜されていることを特徴とする遊技機用発光装置。
【発明の詳細な説明】
【技術分野】
【０００１】
本発明は、棒状の導光部材の軸方向一端側にＬＥＤ等の発光源が配された遊技機用発光装置に関するものである。
【背景技術】
【０００２】
従来から、パチンコ機やスロットマシン等の遊技機においては、遊技を盛り上げること等を目的として、様々な発光装置が設けられている。その一種として、例えば、特許文献１に記載されているように、透明な柱状導光体の長手方向一端側に配置された光源が発する光を柱状導光体に入射させて、柱状導光体内を進むようにし、かかる柱状導光体内を進む光を柱状導光体の周面に形成された反射層で反射させる発光装置が知られている。
【０００３】
しかしながら、上述の如き構造の発光装置においては、特許文献１にも示されているように、遊技機に固定された状態で使用されるようになっていることから、遊技者を楽しませるという点において、十分な効果を発揮することが難しい。
【０００４】
そこで、遊技者を楽しませるために、上述の如き構造とされた発光装置を動かすことが考えられる。具体的には、例えば、柱状導光体において光源が配置された側を中心として柱状導光体やその長手方向一端側に配置された光源等を一軸回りに回動させること等が考えられる。
【０００５】
ところで、柱状導光体において光源が配置された側を中心として柱状導光体やその長手方向一端側に配置された光源等を一軸回りに回動させる場合、例えば、柱状導光体の長手方向一端側や光源等をケースに収容し、ステッピングモータ等で構成された電動モータの駆動力を減速手段としての減速歯車列を介してケースに伝達させて、ケース自体を一軸回りに回動させることにより、柱状導光体やその長手方向一端側に配置された光源等を一軸回りに回動させることが考えられる。
【０００６】
しかしながら、上述の如き方法を採用する場合、ただ単に柱状導光体の長手方向一端側や光源等をケースに収容するだけでは、ケースそのもの、延いては、発光装置の構造全体が大型化してしまい、発光装置の配設スペースや駆動スペースを確保することが難しくなるおそれがある。
【０００７】
【特許文献１】特開２００３−３０８７０５号公報
【発明の開示】
【発明が解決しようとする課題】
【０００８】
ここにおいて、本発明は、上述の如き事情を背景として為されたものであって、その解決課題とするところは、コンパクトな全体構造を実現することが出来る、新規な構造の遊技機用発光装置を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明の遊技機用発光装置は、電動モータの駆動力が伝達されることで自身の中心軸線を軸として回動せしめられる円板状のベース部材を備えていると共に、かかるベース部材の回動中心軸線に対して略直交する状態でベース部材に長手方向一端側が重ね合わされ、長手方向他端側がベース部材の外周から延び出す棒状導光部材を備えていることを、特徴とする。また、本発明の遊技機用発光装置は、棒状導光部材の長手方向一端側の端面へ入射する光を発する発光源が実装されており、かかる端面に発光源の実装面が正対位置せしめられた状態でベース部材に組み付けられる基板を備えていると共に、この基板よりも棒状導光部材の長手方向他端側において、棒状導光部材を幅方向に跨るようにして配置され、かかる幅方向の一端側で、ベース部材にねじ止め固定されることによって棒状導光部材をベース部材に固定する固定部材を備えており、更に、棒状導光部材の長手方向一端側と基板とを覆い隠すようにしてベース部材にねじ止め固定され、ベース部材とともに全体として有底有蓋円筒形状をなすカバー部材を備えていることも、特徴とする。更に、本発明の遊技機用発光装置においては、固定部材は、棒状導光部材の幅方向他端側で、固定部材及びベース部材の一方に形成された位置決め突部と他方に形成された位置決め穴との嵌合で位置決めされ、ベース部材とカバー部材とを相互に固定する一対のねじ止め固定部は、ベース部材の回動中心軸線を中心とした略点対称となる位置で、且つ、かかる回動中心軸線周りにおいて固定部材の位置決め側に位置する一方のねじ止め固定部が他方のねじ止め固定部よりも棒状導光部材の長手方向他端側に寄るように配置されており、棒状導光部材の長手方向一端側の端面は、一対のねじ止め固定部における棒状導光部材の長手方向に対する位置ずれと同じ側に、長手方向に対して傾斜されていることも、特徴とする。
【００１１】
このような本発明に従う構造とされた遊技機用発光装置にあっては、ベース部材に対する固定部材の位置決め固定、即ち、ベース部材に対する棒状導光部材の固定が、棒状導光部材の幅方向一方側のねじ止めと、棒状導光部材の幅方向他方側の凹凸嵌合、即ち、位置決め突部と位置決め穴の嵌合とでなされている。そして、このような凹凸嵌合による位置決めは、例えば当該個所もねじ止めする場合と比較して、回動中心軸線周りにおいてねじ等の重量物が存在しないようにすることが出来、ベース部材、延いては、遊技機用発光装置の回動時における電動モータへの負担を軽減することが出来る。その結果、全体サイズの小さい電動モータを採用することが可能となる。
【００１２】
また、上述の如き凹凸嵌合は、ねじ等の部材を必要とするねじ止めと比較して、ベース部材上における配置スペースを少なくすることが出来、かかる省略できたスペース分だけ、他の部材の配置に利用することが出来る。
【００１３】
更にまた、ベース部材とカバー部材とを相互に固定する一対のねじ止め固定部は、ベース部材の回動中心軸線を中心とした略点対称となる位置に配置されている。その結果、カバー部材においてベース部材の回動中心軸線を中心とした略点対称となる位置がベース部材に対して押さえられることとなり、ベース部材に対するカバー部材の固定が安定化する。
【００１４】
そこにおいて、上述の如く、ベース部材の回動中心軸線を中心とした略点対称となる位置に一対のねじ止め固定部を配置することをコンパクトなベース部材、即ち、半径の出来るだけ小さなベース部材において実現しようとすると、特にスペースを占領しがちな固定部材のねじ止め固定側が邪魔となり、例えば、ベース部材上において棒状導光部材の長手方向と直交する方向に一対のねじ止め固定部を配置することが困難になる。
【００１５】
そこで、本発明では、ベース部材の回動中心軸線周りにおいて固定部材の位置決め側に位置する一方のねじ止め固定部が他方のねじ止め固定部よりも棒状導光部材の長手方向他端側に寄るように配置されている。即ち、本発明では、上述の如き凹凸嵌合を採用することによって形成されたスペースを巧く利用して、一方のねじ止め固定部が他方のねじ止め固定部よりも棒状導光部材の長手方向他端側に寄るように配置されており、その結果、コンパクトなベース部材においても、一対のねじ止め固定部をベース部材の回動中心軸線を中心とした略点対称となる位置に配置することが可能となるのである。
【００１６】
ところで、上述の如く、一方のねじ止め固定部が他方のねじ止め固定部よりも棒状導光部材の長手方向他端側に寄ると、他方のねじ止め固定部が、棒状導光部材の長手方向一端側の端面に寄って配置されることになり、それによって、他方のねじ止め固定部が基板の配置スペースを限定することとなる。その結果、コンパクトなベース部材を採用しようとすると、基板のサイズが限定されてしまうこととなる。
【００１７】
そこで、本発明では、棒状導光部材の長手方向一端側の端面が、一対のねじ止め固定部における棒状導光部材の長手方向に対する位置ずれと同じ側において、棒状導光部材の長手方向に対して傾斜されている。その結果、本発明では、基板が、比較的スペースに余裕のある他方のねじ止め固定部側に傾いて配置されることとなり、基板のサイズが限定されないようになっている。
【００１８】
従って、本発明の遊技機用発光装置においては、全体構造をコンパクトにすることが可能となる。
【００１９】
なお、本発明において、電動モータとは、電気的に駆動制御可能なモータであれば、特に限定されることはなく、例えば、従来から公知のステッピングモータ等が採用される。
【００２０】
また、本発明において、ベース部材は、電動モータによって直接駆動されるようになっていても良いが、減速手段としての減速歯車列等を介して駆動されるようになっていることが望ましい。これにより、電動モータのトルクを増幅させて、ベース部材に伝達させることが可能となる。その結果、電動モータの全体サイズを一層コンパクトにすることが可能となる。
【００２１】
更にまた、本発明において、棒状導光部材は中実であっても良いし、中空であっても良い。更に、本発明において、棒状導光部材の形成材料としては、屈折率が高い透明材料であれば、特に限定されることはなく、例えば、ガラスやアクリル樹脂，ポリスチレン，ポリカーボネート等が採用される。更にまた、本発明における棒状導光部材の成形方法としては、射出成形や押し出し成形等が考えられる。
【００２２】
また、本発明において、棒状導光部材の長手方向一端側の端面には、発光源が収容される凹部が形成されていることが望ましい。これにより、発光源が発する光を集光させて棒状導光部材へと入射させることが可能となる。
【００２３】
また、本発明において、発光源とは、発光ダイオード（ＬＥＤ）や有機ＥＬ等の従来から公知のものが何れも採用可能である。そこにおいて、本発明では、発光源が発する光の色は一色に限定されることはなく、例えば、発光源としてフルカラーＬＥＤを採用することにより、多数の色の光を発することが出来るようにしても良い。また、発光源の数は一つに限定されず、二つ以上の発光源を採用することも可能である。そこにおいて、複数の発光源を採用する場合、これら複数の発光源のそれぞれが発する光の色は互いに異なっていることが望ましく、それによって、各発光源が発する光の色を組み合わせることにより、様々な色の光を発することが可能となる。
【００２４】
また、本発明の基板は、従来から公知のプリント基板によって有利に構成される。
【発明を実施するための最良の形態】
【００２５】
以下、本発明を更に具体的に明らかにするために、本発明の実施形態について、図面を参照しつつ、詳細に説明する。
【００２６】
先ず、図１には、遊技機としてのパチンコ機１０が示されている。このパチンコ機１０は、機体の外郭を為す外枠１２の開口前面側において、縦長方形の中枠１４が開閉及び着脱自在に組み付けられた構造とされている。また、中枠１４には、後述する遊技領域３０が形成された遊技盤１６（図２参照）が着脱自在に組み付けられており、かかる遊技領域３０が、中枠１４に対して開閉可能に組み付けられたガラス枠１８によって保持されているガラス板を通して遊技者に視認されるようになっている。そして、中枠１４に設けられた操作ハンドル２０に対して回動可能に装着された操作レバー２２が遊技者に回動操作されることにより、中枠１４に設けられた上皿２４に貯留されている遊技球が、図示しない球送り機構を介して発射装置（図示せず）に送られた後、遊技領域３０に向けて発射されるようになっている。
【００２７】
続いて、中枠１４に組み付けられている遊技盤１６について説明する。この遊技盤１６は、図２に示されているように、遊技板２６の表面側にレールセット２８が設けられた構造とされており、それによって、遊技板２６の表面側に略円形の遊技領域３０が区画形成されている。
【００２８】
このようにして形成された遊技領域３０の中央には、装飾物としてのセンター飾り３２が設けられている。このセンター飾り３２は、全体として額縁形状を呈しており、その開口部分を通じて、遊技板２６に取り付けられた液晶表示器３４の表示画面が遊技者に視認されるようになっている。
【００２９】
また、遊技領域３０においてセンター飾り３２の下方には、始動入賞装置３６と特別可動入賞装置３８がこの順番で設けられている。そして、遊技者が発射した遊技球が始動入賞装置３６に入賞すると、液晶表示器３４の表示画面において複数の特別図柄（図示せず）の変動表示が開始されるようになっており、かかる複数の特別図柄が所定の図柄組み合わせで停止表示された場合に、特別可動入賞装置３８の開口部を覆蓋する扉が開かれて、特別可動入賞装置３８への遊技球の入賞が可能となる特別遊技状態が発生するようになっている。
【００３０】
そこにおいて、本実施形態のセンター飾り３２には、本発明の一実施形態の遊技機用発光装置としての棒状発光装置４０が取り付けられている。この棒状発光装置４０は、図３に示されているように、装置本体４１が駆動機構４３によって駆動せしめられる構造とされている。
【００３１】
より詳細には、装置本体４１は、図４乃至６に示されているように、棒状導光部材としての導光ロッド４２を含んで構成されている。この導光ロッド４２は、アクリル樹脂等の透明な硬質材料によって形成されており、図７乃至図９に示されているように、全体として中心軸線が真っ直ぐに延びるストレートな棒状部材とされている。特に本実施形態では、導光ロッド４２の長手方向となる軸方向の中間部分において、一組の対辺が平行とされた台形断面で軸方向の一端側（図７における右端側）から他端側（図７における左端側）へ延びると共に、かかる台形断面の高さ寸法（図９における上下方向の寸法）が軸方向の一端側から他端側へと行くに従って次第に小さくなるように設定された露出部４４を備えている。なお、本実施形態では、露出部４４の台形断面において第二の対辺構成面４８（後述する）の側の二つの角には、角取りが施されている。
【００３２】
そこにおいて、本実施形態では、軸方向の一端側から他端側へ行くに従って、露出部４４の軸直角方向での断面形状である台形における一組の平行な対辺の離隔距離、即ち、台形の高さ寸法は次第に短くなるようにされているが、台形における一組の平行な対辺のそれぞれの長さ寸法は略一定となるようにされている。
【００３３】
また、本実施形態では、露出部４４の軸直角方向での断面形状である台形における一組の平行な対辺のそれぞれの中点が、一組の平行な対辺の両方に対して垂直に交わる一本の直線上に位置せしめられている。そして、本実施形態では、このような条件を満たす台形断面で露出部４４が軸方向の一端側から他端側へと延びるように形成されている。
【００３４】
すなわち、本実施形態では、露出部４４の軸直角方向での断面形状である台形において一組の平行な対辺のうち長さが短いほうを構成する面４６（以下、第一の対辺構成面４６と称する）と、一組の平行な対辺のうち長さが長いほうを構成する面４８（以下、第二の対辺構成面４８と称する）との両方が、略一定の幅寸法で軸方向の一端側から他端側へと延びる平面とされているのであり、また、露出部４４の軸直角方向での断面形状である台形における二つの斜辺を構成する面のそれぞれが、軸方向の一端側から他端側へと行くに従って幅狭となるように延びる平面とされているのである。
【００３５】
そして、上述の如く、露出部４４の軸直角方向での断面形状である台形の高さ寸法が軸方向の一端側から他端側へと行くに従って次第に小さくなるように、本実施形態では、第二の対辺構成面４８が軸方向の一端側から他端側へと行くに従って次第に第一の対辺構成面４６に接近する方向へ傾斜せしめられている。
【００３６】
また、第一の対辺構成面４６は第二の対辺構成面４８よりも幅狭とされており、特に本実施形態では、第一の対辺構成面４６の幅寸法は第二の対辺構成面４８の幅寸法の略半分とされている。
【００３７】
また、このような露出部４４の軸方向一端側には、露出部４４の軸直角方向での断面（台形断面）よりも大きな断面を有する一端側取付部５０が一体形成されている一方、露出部４４の軸方向他端側にも、露出部４４の軸直角方向での断面（台形断面）よりも大きな断面を有する他端側取付部５２が一体形成されている。
【００３８】
そこにおいて、本実施形態では、一端側取付部５０と他端側取付部５２のそれぞれにおける第一の対辺構成面４６側の面が、第一の対辺構成面４６と面一とされた平坦な部分を備えている。これにより、一端側取付部５０と他端側取付部５２のそれぞれにおいて第一の対辺構成面４６側の面における平坦な部分と第一の対辺構成面４６とが同一平面上に位置せしめられて滑らかに接続されている。
【００３９】
また、本実施形態の一端側取付部５０は、その軸方向の中間部分から一端側へと行くに従って次第に幅寸法が大きくなる拡幅部分５４を備えている。特に、本実施形態では、かかる拡幅部分５４において幅方向（図７における上下方向）へ広がる割合が幅方向の一方（図７における上方）と他方（図７における下方）で異なっている。換言すると、本実施形態の拡幅部分５４は、導光ロッド４２の軸方向の一端側へ行くに従って導光ロッド４２の中心軸線：Ｌ１に直交する方向の一方へ広がる割合と他方へ広がる割合が異なっているのである。更にまた、本実施形態では、拡幅部分５４の幅広側端面５５は、導光ロッド４２の長手方向、即ち、導光ロッド４２の中心軸線：Ｌ１に対して傾斜している。このことから明らかなように、本実施形態では、幅広側端面５５によって、棒状導光部材の長手方向一端側の端面が構成されているのである。
【００４０】
なお、このような導光ロッド４２は、射出成形等によって有利に成形される。
【００４１】
また、本実施形態では、導光ロッド４２における第一の対辺構成面４６に対して、反射層としての反射テープ５６が貼付されている。この反射テープ５６は、白色顔料を含む塗料が塗布されたテープによって構成されている。そして、このような反射テープ５６は、白色顔料を含む塗料が塗布された面が第一の対辺構成面４６に貼り付けられるようになっており、特に本実施形態では、一端側取付部５０や他端側取付部５２のそれぞれにおいて第一の対辺構成面４６側に位置する面にも、反射テープ５６が貼り付けられるようになっている。なお、上述の説明から明らかなように、本実施形態では、反射テープ５６において導光ロッド４２に貼り付けられるほうの面が反射面とされているのである。
【００４２】
そして、上述の如く反射テープ５６が貼付された導光ロッド４２は、一端側取付部５０がハウジング５８に収容されるようになっている。このハウジング５８は、ベース部材５９とカバー部材６４によって構成されており、特に本実施形態では、ベース部材５９が、第一のベース部材構成体６０と第二のベース部材構成体６２によって構成されている。
【００４３】
第一のベース部材構成体６０は、ＡＢＳ等の硬質の合成樹脂材料によって形成されており、図１０にも示されているように、全体として円板形状を呈している。また、第一のベース部材構成体６０には、ステッピングモータによって構成された電動モータ６１（後述する）の回転駆動力が伝達されることで回転駆動せしめられる駆動軸６６が突設されている。これにより、第一のベース部材構成体６０に連結された駆動軸６６に電動モータ６１の駆動力が伝達されることで、第一のベース部材構成体６０、延いては、ベース部材５９が中心軸線：Ｌ３回りに回動するようになっている。
【００４４】
そして、このような第一のベース部材構成体６０に対して、導光ロッド４２における一端側取付部５０がねじ止め固定されるようになっている。具体的には、図１１に示されているように、本実施形態の場合、第一のベース部材構成体６０に形成された収容凹部６８に対して導光ロッド４２の一端側取付部５０を収容位置せしめて、収容凹部６８の内面に一端側取付部５０を重ね合わせると共に、一端側取付部５０の幅方向他方の側に突設された突出片７４に形成されている位置決め穴としての位置決め用孔７６に対して第一のベース部材構成体６０に突設された位置決め突部としての位置決め用突起７８を挿通させて嵌合せしめることにより、第一のベース部材構成体６０に対して一端側取付部５０、延いては、導光ロッド４２を第一のベース部材構成体６０に位置決めした後、一端側取付部５０の幅方向一方の側に突設された突出片７０に形成されているねじ孔７２に挿通されるねじ７３、即ち、導光ロッド４２の中心軸線：Ｌ１を挟んで位置決め用孔７６とは反対側に位置せしめられるねじ孔７２に挿通されるねじ７３によって、突出片７０、延いては、導光ロッド４２を第一のベース部材構成体６０にねじ止め固定するようになっている。
【００４５】
すなわち、上述の如く導光ロッド４２を第一のベース部材構成体６０に固定するねじ７３は、駆動軸６６の軸方向（ベース部材５９の回動中心軸線：Ｌ３が延びる方向）での投影において、幅広側端面５５よりも導光ロッド４２の軸方向他端側であって、且つ、導光ロッド４２の中心軸線：Ｌ１に対して幅広側端面５５が為す角度のうち鈍角側に位置せしめられている。また、上述の説明から明らかなように、位置決め用突起７８と位置決め用孔７６は、駆動軸６６の軸方向、即ち、ベース部材５９の回動中心軸線：Ｌ３が延びる方向での投影において、導光ロッド４２の中心軸線：Ｌ１を挟んで、ねじ７３とは反対側に位置せしめられている。その結果、ねじ７３と幅広側端面５５との離隔距離よりも位置決め用突起７８や位置決め用孔７６と幅広側端面５５との離隔距離のほうが短くされている。
【００４６】
そして、このように導光ロッド４２が第一のベース部材構成体６０に重ね合わされて固定されることにより、導光ロッド４２は、図１１に示されているように、その中心軸線：Ｌ１が第一のベース部材構成体６０の回動中心：Ｏ、即ち、ベース部材５９の回動中心軸線：Ｌ３と交わった状態とされて、駆動軸６６の軸直角方向に突出せしめられるようになっている。特に、本実施形態では、駆動軸６６の軸方向、即ち、ベース部材５９の回動中心軸線：Ｌ３が延びる方向での投影において、露出部４４の略全体が第一のベース部材構成体６０の外周面よりも外側に位置するようになっている。換言すると、導光ロッド４２の長手方向他端側がベース部材５９の外周から延出しているのである。
【００４７】
上述の如き構造とされた第一のベース部材構成体６０には、第二のベース部材構成体６２が組み付けられるようになっている。この第二のベース部材構成体６２は、第一のベース部材構成体６０と同様に、ＡＢＳ等の硬質の合成樹脂材料によって形成されており、全体として弓の如き形状を呈している。このような第二のベース部材構成体６２は、周方向両端のそれぞれに突出形成された組付用突起８０が第一のベース部材構成体６０に形成された組付用穴８２に挿通されることにより、第一のベース部材構成体６０に対して組み付けられるようになっている。
【００４８】
そこにおいて、本実施形態では、図１１や図１２に示されているように、発光源としてのフルカラーＬＥＤ８４が実装された基板としてのＬＥＤ基板８６を、第二のベース部材構成体６２に形成された切欠８８内に収容位置せしめると共に、ＬＥＤ基板８６に形成された一対の係止片９０，９０のそれぞれを第二のベース部材構成体６２に係止させた状態で、第二のベース部材構成体６２を第一のベース部材構成体６０に対して組み付けるようになっている。そして、このようにして、第二のベース部材構成体６２が第一のベース部材構成体６０に組み付けられた状態下において、ＬＥＤ基板８６の幅方向両端は、それぞれ、第一のベース部材構成体６０に形成された切欠９２の内周面に開口する溝９４内に位置せしめられるようになっている。その結果、ＬＥＤ基板８６がベース部材５９に組み付けられているのである。
【００４９】
また、上述の如く、ＬＥＤ基板８６が第一のベース部材構成体６０と第二のベース部材構成体６２によって支持された状態で、ＬＥＤ基板８６におけるフルカラーＬＥＤ８４の実装面８５は、図１１に示されているように、駆動軸６６の軸方向での投影において、導光ロッド４２の一端側取付部５０における拡幅部分５４の幅広側端面５５に対して正対位置せしめられている。その結果、ねじ７３は、駆動軸６６の軸方向、即ち、ベース部材５９の回動中心軸線：Ｌ３が延びる方向での投影において、幅広側端面５５を挟んでＬＥＤ基板８６とは反対側に位置せしめられることとなる。
【００５０】
そこにおいて、本実施形態では、ＬＥＤ基板８６が第一のベース部材構成体６０と第二のベース部材構成体６２によって支持された状態下において、ＬＥＤ基板８６に実装されているフルカラーＬＥＤ８４は、図１１に示されているように、導光ロッド４２の一端側取付部５０における拡幅部分５４の幅広側端面５５に形成された凹部９６内に位置せしめられるようになっている。
【００５１】
なお、ＬＥＤ基板８６においてフルカラーＬＥＤ８４が実装された面と反対側の面に実装されたコネクタ（図示せず）は、第一のベース部材構成体６０に形成された切欠９２内に位置せしめられるようになっている。
【００５２】
更にまた、上述の如き第一のベース部材構成体６０と第二のベース部材構成体６２に組み付けられるカバー部材６４は、第一のベース部材構成体６０や第二のベース部材構成体６２と同様に、ＡＢＳ等の硬質の合成樹脂材料によって形成されており、全体として周壁と底壁を備えたカップ形状を呈している。
【００５３】
このようなカバー部材６４は、図１３に示されているように、その底壁から周壁の開口部分へ向かって突出するように設けられた一対の固定用支柱９５，９５が、第一のベース部材構成体６０において上面に開口形成された一対の凹所９７，９７に嵌め入れられることによって、第二のベース部材構成体６２が組み付けられた第一のベース部材構成体６０に対して底壁が対向位置せしめられるように被せられて組み付けられるようになっている。そして、このようにカバー部材６４が第一のベース部材構成体６０に組み付けられた状態で、カバー部材６４が、第一のベース部材構成体６０に対して、各凹所９７の底壁に貫設された挿通孔９８に挿通されて各固定用支柱９５に形成されたねじ孔９９に螺挿されるねじ１０１で固定されるようになっている。
【００５４】
そこにおいて、第一のベース部材構成体６０に形成された一対の凹所９７，９７は、ベース部材５９の回動中心軸線：Ｌ３の軸方向での投影において、図１１に示されているように、駆動軸６６、即ち、第一のベース部材構成体６０の回動中心：Ｏ（ベース部材５９の回動中心軸線：Ｌ３）を挟んだ両側に位置せしめられている。換言すると、一対の凹所９７，９７は、ベース部材５９の回動中心軸線：Ｌ３を中心として点対称となる位置にあることとなる。特に本実施形態では、一対の凹所９７，９７は、幅広側端面５５に平行な直線：Ｌ２上で、駆動軸６６、即ち、第一のベース部材構成体６０の回動中心：Ｏ（ベース部材５９の回動中心軸線：Ｌ３）を挟んだ両側に位置せしめられている。また、図１３では必ずしも明らかではないが、幅広側端面５５に直交する方向での投影において、一対の凹所９７，９７の一つ（図１３において右側にある凹所９７）が、ねじ７３を挟んで、駆動軸６６、即ち、第一のベース部材構成体６０の回動中心：Ｏ（ベース部材５９の回動中心軸線：Ｌ３）とは反対側に位置せしめられている。その結果、第一のベース部材構成体６０に対してカバー部材６４をねじ１０１，１０１によって固定した状態で、ねじ１０１，１０１は、ベース部材５９の回動中心軸線：Ｌ３が延びる方向での投影において、幅広側端面５５に対して平行な直線：Ｌ２上であって、且つ、駆動軸６６、即ち、ベース部材５９の回動中心軸線：Ｌ３（第一のベース部材構成体６０の回動中心：Ｏ）を挟んだ両側に位置せしめられている。また、上述の如く、第一のベース部材構成体６０に対してカバー部材６４がねじ１０１，１０１によって固定された状態で、もう一つのねじ１０１は、幅広側端面５５に直交する方向での投影において、ベース部材５９の回動中心軸線：Ｌ３とは反対側に位置せしめられている。なお、本実施形態では、各凹所９７の底壁に貫設された挿通孔９８の中心軸線と駆動軸６６の中心軸線（ベース部材５９の回動中心軸線：Ｌ３）との離隔距離が略同じとされている。
【００５５】
また、上述の如き位置関係で第一のベース部材構成体６０に一対の凹所９７，９７が形成されることにより、これら一対の凹所９７，９７の一方が、駆動軸６６の軸方向の投影において、位置決め用突起７８の近くに位置せしめられるようになっている。その結果、カバー部材６４がねじ１０１，１０１によって第一のベース部材構成体６０に固定された状態で、ねじ１０１，１０１の一方が、駆動軸６６の軸方向の投影において、位置決め用突起７８の近くに位置せしめられることとなる。
【００５６】
また、上述の如く、カバー部材６４がベース部材５９に固定されることにより、ハウジング５８は全体として有底有蓋の円筒形状となる。換言すると、カバー部材６４とベース部材５９が協働することにより、有底有蓋円筒形状のハウジング５８が形成されるようになっている。そして、このようなハウジング５８に対して、導光ロッド４２の一端側取付部５０とフルカラーＬＥＤ８４が収容されるようになっている。
【００５７】
そこにおいて、カバー部材６４には、周壁の適当な位置において切欠が設けられており、それによって、上述の如くカバー部材６４がベース部材５９に対して被せられるように組み付けられて固定された状態で、これらの切欠内に導光ロッド４２や第二のベース部材構成体６２が位置せしめられるようになっている。その結果、フルカラーＬＥＤ８４の発する光が導光ロッド４２に対して入射する方向で外部へ漏れ難くなるように、導光ロッド４２の一端側取付部５０とフルカラーＬＥＤ８４がハウジング５８によって覆い隠されるようになっている。即ち、カバー部材６４がベース部材５９に固定されることで、導光ロッド４２の一端側取付部５０とフルカラーＬＥＤ８４が覆い隠されるようになっているのである。
【００５８】
なお、ハウジング５８の内部空間は外部空間と遮断されていることが望ましいが、本実施形態のように、第一のベース部材構成体６０に形成された切欠９２を通じて、第一のベース部材構成体６０の裏面側、即ち、駆動軸６６が突設された面の側から外部空間と連通していても良い。要するに、フルカラーＬＥＤ８４の発する光が導光ロッド４２に対して入射する方向で外部へ漏れ難くされていれば、棒状発光装置４０のセンター飾り３２への取付状態で遊技者に視認され難い部分を通じて、ハウジング５８の内部空間が外部空間と連通していても良い。
【００５９】
また、図面上では明示されていないが、上述の如く、カバー部材６４が第一のベース部材構成体６０と第二のベース部材構成体６２に組み付けられた状態で、ＬＥＤ基板８６に設けられた一対の係止片９０，９０は、それぞれ、カバー部材６４の内面に形成された溝内に位置せしめられている。
【００６０】
そこにおいて、本実施形態では、ハウジング５８を構成する部材のうち、第一のベース部材構成体６０とカバー部材６４に対してメッキ処理が施されている。これにより、ハウジング５８の内面１００のうち少なくとも幅広側端面５５に形成された凹部９６においてフルカラーＬＥＤ８４が発する光が入射する面、即ち、幅広側端面５５と略平行な面よりも露出部４４側の領域が鏡面とされている。即ち、本実施形態では、一端側取付部５０を取り囲む領域の略全体が鏡面とされているのであり、その結果、ハウジング５８の内面１００の殆どの部分が鏡面とされているのである。
【００６１】
このような構造とされたハウジング５８には、電動モータ６１の出力軸に設けられた出力歯車６３と、出力歯車６３に噛み合わされた中間歯車６５と、駆動軸６６に設けられて、中間歯車６５に噛み合わされた伝達歯車６７を介して、電動モータ６１の駆動力が伝達されるようになっている。これにより、ハウジング５８が一軸回りに回動せしめられるようになっている。その結果、導光ロッド４２が軸方向一端側を中心にして一軸回りに回動せしめられるようになっている。なお、このことから明らかなように、本実施形態では、出力歯車６３と中間歯車６５と伝達歯車６７によって減速歯車列６９が構成されている。そして、かかる減速歯車列６９と電動モータ６１によって駆動機構４３が構成されている。
【００６２】
また、本実施形態では、導光ロッド４２の軸方向他端側には、カバー部材１０２が設けられている。このカバー部材１０２は、第一のカバー構成部材１０４と第二のカバー構成部材１０６が導光ロッド４２における軸方向他端側に設けられた他端側取付部５２を内部に収容するようにして組み付けられた状態でねじ止め固定されることにより、導光ロッド４２の軸方向他端側に取り付けられるようになっている。これにより、後述の如く露出部４４内を進んできた光が導光ロッド４２における他端側取付部５２から外部へと漏れ難いように、導光ロッド４２の軸方向他端側がカバー部材１０２で覆い隠されているのである。その結果、本実施形態では、導光ロッド４２における露出部４４のみが遊技者に視認されるようになっている。なお、カバー部材１０２を構成する各部材１０４，１０６は、ＡＢＳ等の硬質の合成樹脂材料によって形成されている。
【００６３】
そこにおいて、本実施形態では、カバー部材１０２を構成する各部材１０４，１０６に対してメッキ処理が施されており、それによって、カバー部材１０２の内面１０８の全体が鏡面とされている。
【００６４】
このような構造とされた棒状発光装置４０は、例えば、減速歯車列６９が収容されるギアボックス１１０が、センター飾り３２の適当な位置に対して、ねじ等の固定手段で固定されることにより、センター飾り３２に対して取り付けられるようになっている。なお、ギアボックス１１０には、装置本体４１の回動位置を検出する回動位置検出装置（図示せず）が取り付けられた検出装置支持部材１１２が固定されている。そして、かかる回動位置検出装置による装置本体４１の回動位置の検出に基づいて、装置本体４１が回動制御されるようになっている。
【００６５】
そこにおいて、棒状発光装置４０がセンター飾り３２に取り付けられた状態で、導光ロッド４２における第一の対辺構成面４６は液晶表示器３４の表示画面側、即ち、遊技者側とは反対側に位置せしめられている一方、導光ロッド４２における第二の対辺構成面４８は遊技者側に位置せしめられている。
【００６６】
そして、本実施形態では、例えば、液晶表示器３４の表示画面において複数の特別図柄が所定の図柄組み合わせで停止表示される可能性がある場合や、特別遊技状態が発生している場合等において、電動モータ６１の回転駆動力が減速歯車列６９を介して駆動軸６６に伝達されて、導光ロッド４２が液晶表示器３４の表示画面の前方で一軸回りに回動せしめられるようになっている。
【００６７】
上述の説明から明らかなように、本実施形態では、突出片７０と突出片７４を含んで固定部材が構成されている。即ち、本実施形態では、固定部材は、棒状導光部材に対して一体形成されているのである。その結果、固定部材は、棒状導光部材を幅方向で跨るように配置されることとなる。また、本実施形態では、ねじ１０１，１０１を含んで一対のねじ止め固定部が構成されている。更にまた、本実施形態では、導光ロッド４２の幅広側端面５５は、ねじ１０１，１０１の導光ロッド４２の長手方向（軸方向）に対する位置ずれと同じ側に、導光ロッド４２の長手方向（軸方向）に対して傾斜せしめられている。
【００６８】
このような構造とされた棒状発光装置４０においては、導光ロッド４２の一端側取付部５０に形成された幅広側端面５５が、導光ロッド４２の長手方向、特に本実施形態では、露出部４４の軸方向に対して傾斜せしめられており、かかる幅広側端面５５に対して、ＬＥＤ基板８６におけるフルカラーＬＥＤ８４が実装された面が対向位置せしめられていることから、第一のベース部材構成体６０の外径寸法を小さくすることが可能となる。
【００６９】
また、導光ロッド４２が、第一のベース部材構成体６０に対して、幅方向一端側でねじ７３によって固定される一方、幅方向他端側で位置決め用孔７６に位置決め用突起７８が挿通されることによって位置決めされるようになっていることから、位置決め用孔７６が形成された突出片７４の導光ロッド４２における幅方向他端側への突出量を、ねじ７３が挿通されるねじ孔７２が形成された突出片７０の導光ロッド４２における幅方向一端側への突出量よりも小さくすることが可能となる。その結果、第一のベース部材構成体６０に形成された一対の凹所９７，９７を幅広側端面５５に対して平行な直線：Ｌ２上に位置せしめて、これら一対の凹所９７，９７の一方を位置決め用突起７８の近くに位置せしめることが可能となる。
【００７０】
従って、上述の如き構造とされた棒状発光装置４０においては、導光ロッド４２の軸方向一端側、即ち、導光ロッド４２の長手方向一端側やフルカラーＬＥＤ８４が収容されるハウジング５８の全体サイズをコンパクトにすることが可能となる。これにより、棒状発光装置４０の全体サイズをコンパクトにすることが可能となるのである。その結果、棒状発光装置４０の配設スペースや駆動スペースを有利に確保することが可能となる。
【００７１】
また、カバー部材６４のベース部材５９（第一のベース部材構成体６０）へのねじ１０１，１０１による固定が、駆動軸６６の中心軸線、即ち、ベース部材５９の回動中心軸線：Ｌ３を軸直角方向に挟んだ両側で行われるようになっていることから、カバー部材６４のベース部材５９（第一のベース部材構成体６０）への固定状態の安定化を図ることが可能となり、その結果、カバー部材６４とベース部材５９（第一のベース部材構成体６０）のがたつきを有利に回避することが可能となる。
【００７２】
更にまた、導光ロッド４２を第一のベース部材構成体６０に固定するためのねじ７３の位置や、カバー部材６４を第一のベース部材構成体６０に固定するためのねじ１０１，１０１の位置、更には、フルカラーＬＥＤ８４が実装されたＬＥＤ基板８６の位置等が駆動軸６６の中心軸線、即ち、ベース部材５９の回動中心軸線：Ｌ３周りにバランス良く設定されていることから、駆動軸６６の中心軸線（ベース部材５９の回動中心軸線：Ｌ３）周りの重量バランスを良くすることが可能となる。これにより、電動モータ６１に必要なトルクを小さくすることが可能となる。その結果、採用される電動モータ６１の全体サイズを小さくすることが可能となる。
【００７３】
また、本実施形態では、電動モータ６１の駆動力が減速歯車列６９を介して駆動軸６６に伝達されるようになっていることから、電動モータ６１のトルクを増幅して駆動軸６６に伝達することが可能となる。その結果、採用される電動モータ６１の全体サイズを一層小さくすることが可能となる。
【００７４】
更にまた、本実施形態では、フルカラーＬＥＤ８４の発する光が導光ロッド４２に入射した後に導光ロッド４２内を軸方向の一端側から他端側へと進むようになっている。
【００７５】
そこにおいて、本実施形態では、導光ロッド４２の露出部４４における第二の対辺構成面４８は、軸方向の一端側から他端側へと行くに従って第一の対辺構成面４６に接近する方向へ傾斜せしめられていることから、導光ロッド４２内に進入してきた光が第一の対辺構成面４６に貼付された反射テープ５６と第二の対辺構成面４８との間での反射を繰り返しながら露出部４４の軸方向の一端側から他端側へ導かれることを有利に実現することが可能となる。その結果、露出部４４内を進む際に反射テープ５６で反射される等して第二の対辺構成面４８を通過する光の量を露出部４４の軸方向の全体に亘って略均一にすることが可能となる。
【００７６】
また、本実施形態では、導光ロッド４２の露出部４４における軸直角方向での断面が台形とされていることから、導光ロッド４２内に進入してきた光のうち光度の弱い光よりも光度の強い光を露出部４４内へ有利に導くことが可能となる。これにより、露出部４４内を進む際に第二の対辺構成面４８を通過する光の大部分を光度の強い光とすることが可能となる。その結果、遊技者に視認される光、即ち、第二の対辺構成面４８を通過する光を鮮明なものにすることが可能となる。
【００７７】
更にまた、本実施形態では、導光ロッド４２における一端側取付部５０とフルカラーＬＥＤ８４がハウジング５８によって覆い隠されていることから、フルカラーＬＥＤ８４が発する光の導光ロッド４２への入射効率を高めることが可能となる。その結果、露出部４４内を進む際に反射テープ５６で反射される等して第二の対辺構成面４８を通過する光の量を確保することが可能となる。
【００７８】
特に、本実施形態では、ハウジング５８の内面１００のうち少なくとも導光ロッド４２に対してフルカラーＬＥＤ８４の発する光が入射する面よりも露出部４４側の略全体、即ち、ハウジング５８の内面１００のうち一端側取付部５０を取り囲む領域の略全体が鏡面とされていることから、フルカラーＬＥＤ８４が発する光の導光ロッド４２への入射効率を一層高めることが可能となる。その結果、露出部４４内を進む際に反射テープ５６で反射される等して第二の対辺構成面４８を通過する光の量を一層確保することが可能となる。
【００７９】
加えて、本実施形態では、フルカラーＬＥＤ８４が、ハウジング５８に収容された状態で、導光ロッド４２の拡幅部分５４における幅広側端面５５に形成された凹部９６内に位置せしめられていることから、フルカラーＬＥＤ８４が発する光を集光させて導光ロッド４２に入射させることが可能となる。その結果、露出部４４内を進む際に反射テープ５６で反射される等して第二の対辺構成面４８を通過する光の量をより一層確保することが可能となる。
【００８０】
また、本実施形態では、導光ロッド４２における他端側取付部５２を覆い隠すカバー部材１０２が取り付けられており、しかも、そのカバー部材１０２の内面１０８が鏡面とされていることから、露出部４４内を軸方向の一端側から他端側へと進む際に反射テープ５６で反射される等して第二の対辺構成面４８を通過せずに軸方向他端側まで到達した光をカバー部材１０２の内面１０８で反射させることにより、露出部４４内を軸方向の他端側から一端側へと進ませることが可能となる。そして、上述の如く反射された光が露出部４４内を軸方向の他端側から一端側へと進む際に反射テープ５６で反射される等して第二の対辺構成面４８を通過するようにすることが可能となる。その結果、露出部４４内を進む際に反射テープ５６で反射される等して第二の対辺構成面４８を通過する光の量をより一層確保することが可能となる。
【００８１】
以上、本発明の一実施形態について詳述してきたが、これはあくまでも例示であって、本発明は、かかる実施形態における具体的な記載によって、何等、限定的に解釈されるものではない。
【００８２】
例えば、前記実施形態において、棒状発光装置４０はガラス枠等に取り付けられていても良い。また、前記実施形態において、固定部材は、棒状導光部材に一体形成されている必要はない。
【００８３】
また、前記実施形態において、外周面に中間歯車６５に噛み合わされる歯が形成されたベース部材を採用し、かかるベース部材をギアボックス１１０に突設された回動支持軸の回りに回動可能な状態で配するようにしても良い。なお、この場合、前記実施形態における駆動軸６６や伝達歯車６７は不要になる。
【００８４】
更にまた、前記実施形態では、遊技機用発光装置をパチンコ機に採用した場合の一具体例について詳述してきたが、本発明の遊技機用発光装置は、スロットマシン等に採用することも、勿論可能である。
【００８５】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００８６】
【図１】本発明の棒状発光装置が取り付けられているパチンコ機の正面図。
【図２】同パチンコ機を構成する遊技盤の正面図。
【図３】本発明の棒状発光装置を示す斜視図。
【図４】同棒状発光装置を構成する装置本体の平面図。
【図５】図４におけるＶ−Ｖ断面図。
【図６】図４の装置本体の組立分解図。
【図７】図４の装置本体を構成する導光ロッドの平面図。
【図８】図７におけるＶＩＩＩ−ＶＩＩＩ断面図。
【図９】図７におけるＩＸ−ＩＸ断面図。
【図１０】ハウジングを構成する第一のベース部材構成体の平面図。
【図１１】導光ロッドの固定状態とＬＥＤ基板の支持状態を説明するための平面図。
【図１２】図１１の斜視図。
【図１３】図１０のＸＩＩＩ−ＸＩＩＩ方向に相当する方向での装置本体の縦断面図であって、その要部を示す縦断面図。
【符号の説明】
【００８７】
４０：棒状発光装置，４２：導光ロッド，５５：幅広側端面，５９：ベース部材，６１：電動モータ，６４：カバー部材，６６：駆動軸，７３：ねじ，７６：位置決め用孔，７８：位置決め用突起，８４：フルカラーＬＥＤ，８６：ＬＥＤ基板，１０１：ねじ
【図１】
0004827014.tif 000002
【図２】
0004827014.tif 000003
【図３】
0004827014.tif 000004
【図４】
0004827014.tif 000005
【図５】
0004827014.tif 000006
【図６】
0004827014.tif 000007
【図７】
0004827014.tif 000008
【図８】
0004827014.tif 000009
【図９】
0004827014.tif 000010
【図１０】
0004827014.tif 000011
【図１１】
0004827014.tif 000012
【図１２】
0004827014.tif 000013
【図１３】
0004827014.tif 000014